(57)【要約】【課題】インテリジェント照明制御システムを提供する。【解決手段】照明制御システムは、ウェルを形成するベースハウジングを含むとともにウェルに位置決めされた第１の電気コネクタを含むベースモジュールを含む。押下可能なスイッチは、ウェルに収納され、押下可能なスイッチを伸長位置に付勢するスプリングを含み、電力端子と第１の電気コネクタとの間で電気回路を開成する。照明制御システムはまた、ベースモジュールのウェルにおいて少なくとも部分的にネスティングするように構成された照明スイッチモジュールも含む。照明スイッチモジュールは、ウェルにおけるネスティングに応じて押下可能なスイッチを収縮位置に押下し、それによって電力端子と第１の電気コネクタの間で電気回路を閉成し、ベースモジュールのウェルからネスティングを解除された場合に押下可能なスイッチを伸長位置に解放するように構成されたモジュールハウジングを含む。【選択図】  図９Ａ
2019527915.tif 000002
【特許請求の範囲】
【請求項１】
照明制御システムであって、
ウェルを形成するベースハウジングを含むとともに前記ウェルに位置決めされた第１の電気コネクタを含むベースモジュールであって、前記第１の電気コネクタは、ＡＣ電源から電流を受けるように構成された電力端子に接続されて前記ベースモジュールが照明設備の照明回路に電気的に結合されることを可能とし、押下可能なスイッチが前記ウェルに収納され、前記押下可能なスイッチは、前記押下可能なスイッチを伸長位置に付勢するスプリングを含み、前記伸長位置は前記電力端子と前記第１の電気コネクタとの間で電気回路を開成する、前記ベースモジュールと、
前記ベースモジュールの前記ウェルにおいて少なくとも部分的にネスティングするように構成された照明スイッチモジュールと
を備え、
前記照明スイッチモジュールは、
モジュールハウジング、
前記モジュールハウジングに結合されたグラフィカルユーザインターフェース、
そこにネスティングされた場合に前記ベースモジュールの前記第１の電気コネクタと係合して電気結合するように構成された第２の電気コネクタ、及び
電球の照度を変化させることによって複数の照明シーンを生成するように、前記ハウジングに位置決めされ、調光器回路を介して前記照明回路に電気エネルギーの流れを調節するように構成されたプロセッサを含むスイッチ制御回路
を備え、
前記スイッチ制御回路は、前記グラフィカルユーザインターフェース及び前記第２の電気コネクタに電気的に接続され、
前記モジュールハウジングは、
１．前記ベースモジュールの前記ウェルにおけるネスティングに応じて前記押下可能なスイッチを収縮位置に押下し、それによって前記電力端子と前記第１の電気コネクタとの間で前記電気回路を閉成し、
２．前記ベースモジュールの前記ウェルからネスティングを解除された場合に、前記押下可能なスイッチを前記伸長位置に解放する
ように構成されている、前記照明制御システム。
【請求項２】
前記照明スイッチモジュールが、前記モジュールハウジングから伸長して前記ウェルにおける凹部と係合するように構成されたスプリングラッチを含む、請求項１に記載の照明制御システム。
【請求項３】
前記照明スイッチモジュールが、前記モジュールハウジングの表面から伸長して前記ベースモジュールの電気ソケットとプレスフィット係合するように構成された複数の電気ピンを含む電気コネクタを含む、請求項１に記載の照明制御システム。
【請求項４】
前記照明スイッチモジュールが触覚ディスプレイを備える、請求項１に記載の照明制御システム。
【請求項５】
前記触覚ディスプレイが、前記モジュールハウジングに対して移動するように構成された照明スイッチアクチュエータに収納される、請求項１に記載の照明制御システム。
【請求項６】
前記照明スイッチアクチュエータが第１の位置から第２の位置への移動に応じて電子コンタクト構成要素を移動させるように構成され、前記第１の位置から前記第２の位置への前記移動によって、電流経路が接続され、前記触覚ディスプレイにアイコンが照明される、請求項１に記載の照明制御システム。
【請求項７】
前記プロセッサが、前記触覚ディスプレイを介して制御するように構成されている、請求項１に記載の照明制御システム。
【請求項８】
前記ベースモジュールが前記ウェルから伸長する第１のタブ及び第２のタブを含み、第前記１のタブ及び前記第２のタブの各々が電気ボックスに前記照明スイッチベースモジュールを搭載するためにそれぞれの開口を含む、請求項１に記載の照明制御システム。
【請求項９】
前記モジュールハウジングに収納された充電池をさらに備える請求項１に記載の照明制御システム。
【請求項１０】
照明制御システムを設置する方法であって、
ベースモジュールのベースハウジングによって形成されるウェルに、照明スイッチモジュールのモジュールハウジングを少なくとも部分的にネスティングするステップ
を備え、
前記ベースモジュールは、
前記ウェルに位置決めされた第１の電気コネクタであって、前記第１の電気コネクタは、ＡＣ電源から電流を受けるように構成された電力端子に接続されて前記ベースモジュールが照明設備の照明回路に電気的に結合されることを可能とする、前記第１の電気コネクタと、
前記ウェルに収納される押下可能なスイッチであって、前記押下可能なスイッチは前記押下可能なスイッチを伸長位置に付勢するスプリングを含み、前記伸長位置は前記電力端子と前記第１の電気コネクタとの間で電気回路を開成する、前記押下可能なスイッチと
を含み、
前記照明スイッチモジュールは、
前記モジュールハウジングに結合されたグラフィカルユーザインターフェースと、
ネスティングされた場合にベースモジュールの前記第１の電気コネクタと係合してそれに電気結合するように構成された第２の電気コネクタと、
前記ハウジングに位置決めされ、電球の照度を変化させることによって複数の照明シーンを生成するように、調光器回路を介して前記照明回路への前記電気エネルギーの流れを調節するように構成されたプロセッサを含むスイッチ制御回路と
を備え、
前記スイッチ制御回路は、前記グラフィカルユーザインターフェース及び前記第２の電気コネクタに電気的に接続され、
前記方法は、さらに、
ネスティングに応じて第１の電気コネクタを第２の電気コネクタに電気的に結合するステップと、
ネスティングに応じて前記押下可能なスイッチを収縮位置に押下するステップと、それによって前記電力端子と前記第１の電気コネクタとの間で前記電気回路を閉成するステップと
を備える前記方法。
【請求項１１】
前記ベースモジュールの前記ウェルから前記照明スイッチモジュールのネスティングを解除することによって、前記押下可能なスイッチを前記伸長位置に解放するステップをさらに備える請求項１０に記載の方法。
【発明の詳細な説明】
【技術分野】
【０００１】
本出願は、２０１６年７月７日出願の米国仮特許出願第６２／３５９６７０号の発明の名称“ＩＮＴＥＬＬＩＧＥＮＴ  ＬＩＧＨＴＩＮＧ  ＣＯＮＴＲＯＬ  ＳＹＳＴＥＭ  ＡＩＲ  ＧＡＰ  ＡＰＰＡＲＡＴＵＳＥＳ，ＳＹＳＴＥＭＳ，ＡＮＤ  ＭＥＴＨＯＤＳ”の優先権を主張し、その内容がその全体においてここに参照として取り込まれる。
【０００２】
本発明は、概略として、照明制御システムの分野に関する。
【背景技術】
【０００３】
家庭用照明制御デバイスのカスタマイズ及び自動化は、それぞれの設備に混同してマッピングされる照明スイッチであふれた見栄えの悪い照明スイッチの設置によるものが多い。自動家庭用照明制御システムはまた、設置及び／又は動作に専門家又は熟練した技術者を必要とする大型の複雑で高価な中央ハブも含むことになる。これらの背景のいずれかに又はより単純なものにさえも導入される小型電球及び／又はＷｉ−Ｆｉ接続可能な電球は、不都合なことに、照明設備に対応付けられた照明スイッチ及び／又は照明設備自体によって制限され得る。例えば、小型電球に対応付けられた照明スイッチがオフに切り替えられた場合には、小型電球は動作不能となる。
【発明の概要】
【０００４】
発明者は、ここで開示される種々の実施形態が、交流電源をインテリジェント照明制御システム構成要素から安全に切り離すための装置、システム及び方法を提供することを理解した。したがって、種々の実施形態は、エアギャップシステムを含むインテリジェント照明制御システムを提供する。
【０００５】
種々の実施形態は、ウェルを形成するベースハウジングを含むベースモジュールを含むとともにウェルに位置決めされた第１の電気コネクタを含む照明制御システムを提供する。第１の電気コネクタは、ＡＣ電源から電流を受けるように構成された電力端子に接続されてベースモジュールが照明設備の照明回路に電気的に結合されることを可能とする。押下可能なスイッチが、ウェルに収納される。押下可能なスイッチは、押下可能なスイッチを伸長位置に付勢するスプリングを含む。伸長位置は、電力端子と第１の電気コネクタとの間で電気回路を開成（open）する。照明制御システムはまた、ベースモジュールのウェルにおいて少なくとも部分的にネスティング（nesting）するように構成された照明スイッチモジュールも含む。照明スイッチモジュールは、モジュールハウジングを含む。照明スイッチモジュールは、モジュールハウジングに結合されたグラフィカルユーザインターフェースを含む。照明スイッチモジュールは、そこにネスティングされた場合にベースモジュールの第１の電気コネクタと係合して電気結合するように構成された第２の電気コネクタを含む。照明スイッチモジュールは、電球の照度を変化させることによって複数の照明シーンを生成するように、ハウジングに位置決めされ、調光器回路を介して照明回路への電気エネルギーの流れを調節するように構成されたプロセッサを含むスイッチ制御回路を含む。スイッチ制御回路は、グラフィカルユーザインターフェース及び第２の電気コネクタに電気的に接続される。モジュールハウジングは、ベースモジュールのウェルにおけるネスティングに応じて押下可能なスイッチを収縮位置に押下し、それによって電力端子と第１の電気コネクタの間で電気回路を閉成（close）するように構成される。モジュールハウジングは、ベースモジュールのウェルからネスティングを解除された場合に、押下可能なスイッチを伸長位置に解放するように構成される。
【０００６】
ある実施例において、照明スイッチモジュールは、モジュールハウジングから伸長してウェルにおける凹部と係合するように構成されたスプリングラッチを含む。
【０００７】
ある実施例において、照明スイッチモジュールは、モジュールハウジングの表面から伸長しベースモジュールの電気ソケットとプレスフィット係合するように構成された複数の電気ピンを含む電気コネクタを含む。
【０００８】
ある実施例において、照明スイッチモジュールは、触覚ディスプレイを備える。照明スイッチアクチュエータに収納された触覚ディスプレイは、モジュールハウジングに対して移動するように構成され得る。
【０００９】
ある実施例において、照明スイッチアクチュエータは第１の位置から第２の位置への移動に応じて電子コンタクト構成要素を移動させるように構成され、第１の位置から第２の位置への移動によって、電流経路が接続され、触覚ディスプレイにアイコンが照明される。
【００１０】
ある実施例において、プロセッサは、触覚ディスプレイを介して制御するように構成される。
【００１１】
ある実施例において、ベースモジュールはウェルから伸長する第１のタブ及び第２のタブを含み、第１のタブ及び第２のタブの各々は、電気ボックスに照明スイッチベースモジュールを搭載するためのそれぞれの開口を含む。
【００１２】
ある実施例において、充電池は、モジュールハウジングに収納される。
【００１３】
種々の実施形態は、照明制御システムを設置する方法を提供する。方法は、ベースモジュールのベースハウジングによって形成されるウェルに、照明スイッチモジュールのモジュールハウジングを少なくとも部分的にネスティングするステップを含む。ベースモジュールは、ウェルに位置決めされた第１の電気コネクタを含む。第１の電気コネクタは、ＡＣ電源から電流を受けるように構成された電力端子に接続されてベースモジュールが照明設備の照明回路に電気的に結合されることを可能とし、押下可能なスイッチはウェルに収納される。押下可能なスイッチは、押下可能なスイッチを伸長位置に付勢するスプリングを含む。伸長位置は、電力端子と第１の電気コネクタとの間で電気回路を開成する。照明スイッチモジュールは、モジュールハウジングに結合されたグラフィカルユーザインターフェース、ネスティングされた場合にベースモジュールの第１の電気コネクタと係合して電気結合するように構成された第２の電気コネクタ、及びハウジングに位置決めされたスイッチ制御回路を含む。スイッチ制御回路は、電球の照度を変化させることによって複数の照明シーンを生成するように、調光器回路を介して照明回路への電気エネルギーの流れを調節するように構成されたプロセッサを含む。スイッチ制御回路は、グラフィカルユーザインターフェース及び第２の電気コネクタに電気的に接続される。方法はまた、ネスティングに応じて第１の電気コネクタを第２の電気コネクタに電気的に結合するステップも含む。方法は、ネスティングに応じて押下可能なスイッチを収縮位置に押下するステップと、それによって電力端子と第１の電気コネクタとの間で電気回路を閉成するステップとをさらに含む。
【００１４】
ある実施例において、方法は、ベースモジュールのウェルから照明スイッチモジュールのネスティングを解除することによって、押下可能なスイッチを伸長位置に解放するステップを含む。
【００１５】
種々の実施例は、照明制御システムを動作させるためのコンピュータプログラム製品を提供する。コンピュータプログラム製品は、１以上のプロセッサに結合され、１以上のプロセッサによって実行された場合に１以上のプロセッサが説明する先行の実施例のいずれかによる及び／又はここで開示する装置のいずれかによる照明制御システム装置を動作させるための動作を実行する命令が記憶された非一時的コンピュータ可読記憶媒体を含み得る。
【００１６】
上記の概念及び以下でより詳細に説明する追加的概念のすべての組合せ（提供されるそのような概念は相互に矛盾しない）は、ここで開示される発明の主題の一部であると考えられることが分かるはずである。特に、この開示の最後にある請求項による主題のすべての組合せは、ここで開示される発明の主題の一部であると考えられる。参照として取り込まれる任意の開示に出現し得る、ここで明示的に採用される専門用語は、ここで開示される特定の概念に最も一致する意味で扱われるべきであることも分かるはずである。
【００１７】
図面は、主に例示目的のものでありここで説明する発明の主題の範囲を限定するものではない。図面は縮尺通りである必要はなく、ある例では、ここで開示される発明の主題の種々の態様が異なる構成の理解を促すように図面において誇張又は拡大して示されることがある。図面において、同様の符号は、一般的に、同様の構成（例えば、機能的に同類及び／又は構造的に同類の要素）を示す。
【図面の簡単な説明】
【００１８】
【図１Ａ】図１Ａは、照明制御デバイスの部分的に展開斜視図である。
【図１Ｂ】図１Ｂは、図１Ａの照明制御デバイスの完全展開図である。
【図２−１】図２Ａは、壁に据え付けられた図１Ａの照明制御デバイスを示す。図２Ｂは、複数スイッチの照明制御デバイスを示す。
【図２−２】図２Ｃは、複数スイッチの照明制御デバイスを示す。
【図３Ａ】図３Ａは、種々の照明設定を通じて変位する照明制御デバイス及び照明制御デバイスによって制御された照明設備を有する部屋を示す。
【図３Ｂ】図３Ｂは、種々の照明設定を通じて変化する照明制御デバイス及び照明制御デバイスによって制御された照明設備を有する部屋を示す。
【図３Ｃ】図３Ｃは、種々の照明設定を通じて変化する照明制御デバイス及び照明制御デバイスによって制御された照明設備を有する部屋を示す。
【図３Ｄ】図３Ｄは、種々の照明設定を通じて変化する照明制御デバイス及び照明制御デバイスによって制御された照明設備を有する部屋を示す。
【図３Ｅ】図３Ｅは、種々の照明設定を通じて変化する照明制御デバイス及び照明制御デバイスによって制御された照明設備を有する部屋を示す。
【図３Ｆ】図３Ｆは、種々の照明設定を通じて変化する照明制御デバイス及び照明制御デバイスによって制御された照明設備を有する部屋を示す。
【図４】図４は、照明制御デバイスを制御するためのシステムの動作についてのフロー図を提供する。
【図５】図５は、照明制御デバイスを遠隔動作させるためのシステムのフロー図を示す。
【図６】図６は、照明制御デバイスの動作を遠隔構成するためのシステムのフロー図を示す。
【図７】図７は、エアギャップシステムを含む照明制御システムを設置する方法のフロー図である。
【図８】図８は、照明制御システムの概略図である。
【図９】図９Ａは、エアギャップシステムを含む照明制御システムの概略図である。図９Ｂは、エアギャップシステムを含む照明制御システムの概略図である。
【図１０】図１０Ａは、照明制御システムのベースモジュールにおけるエアギャップ構成要素を示す。図１０Ｂは、照明制御システムのベースモジュールにおけるエアギャップ構成要素を示す。図１０Ｃは、照明制御システムのベースモジュールにおけるエアギャップ構成要素を示す。
【発明を実施するための形態】
【００１９】
ここで開示される発明の主題の構成及び効果は、図面と併用した場合に以下に記載する詳細な説明からより明らかとなる。
【００２０】
以下、照明制御デバイスの発明のシステム、方法及び構成要素に関連する種々の概念及び例示的な実施形態についてのより詳細な説明である。
【００２１】
図１Ａは、照明制御デバイス１００の部分展開斜視図である。照明制御デバイス１００は、照明スイッチアクチュエータ１０６及び照明スイッチアクチュエータ１０６に格納された触覚ディスプレイ１０４を含むスイッチモジュール１０２を含む。照明制御デバイス１００はまた、それを通じて延在するスイッチモジュール開口部１１０を含む壁プレートカバー１０８も含む。照明制御デバイス１００はまた、複数ピンのソケット１１４を介してスイッチモジュール１０２に結合するように構成されたベースモジュール１１２も含む。ベースモジュール１１２は、１ギャング壁電気ボックス内に収容するためのサイズ及び構成であり、そこに実質的に対応する容積を有する。ベースモジュール１１２は、接続タブ１１６及び接続タブ１１６における留め具開口１１８を介して壁電気ボックスに結合されるように構成される。
【００２２】
照明スイッチアクチュエータ１０６は外部作動面１２２を含み、それはここでさらに説明するようにガラスで構成され得る。例えば、作動面１２２は、例えば、湾曲下端部１２０を押圧して照明スイッチアクチュエータ１０６を旋回させることによって可動となる。照明スイッチアクチュエータ１０６及び作動面１２２の旋回によって、スイッチアクチュエータ１０６の（図２に示す）コンタクト構成要素を第１の位置から第２の位置に移動させる。コンタクト構成要素の移動によって、例えば、２つの電気コンタクトを接続させることによって又はコンタクト構成要素を電気コンタクトに接続することによって電流経路が接続する。電流経路の接続によって、ここでさらに詳細に説明するように、ベースモジュール１１２に接続された電源によって供給される電気エネルギーは、触覚ディスプレイ１０４に給電又は作動させる。触覚ディスプレイ１０４は、スイッチモジュールにおいて構築されて作動面１２２の少なくとも一部及びアクチュエータ１０６とともに同時に移動する。触覚ディスプレイ１０４は、作動又は給電されると、ユーザが事前に規定された照明設定を規定又は選択することを可能とし、照明設定は１以上の照明設備に供給された電圧又は電力を変化させる。照明設備に供給される電力の変化は、各設備に供給される複数の異なる電圧を含み、それに限定されることなく、位置、光強度、光色、電球のタイプ、照明のタイプ、環境光レベル、時刻、アクティビティの種類、室温、ノイズレベル、エネルギーコスト、ユーザの接近、ユーザの識別、又は指定若しくは検出され得る他の種々のパラメータを含む種々のパラメータに基づき得る。さらに、照明制御デバイス１００は、部屋における又は住宅においてもすべての照明に接続され得るものであり、ユニット又は部屋に位置して同じ又は個別の照明設備に接続された他の１以上の照明制御デバイス１００と連動して動作するように構成され得る。
【００２３】
図１Ｂは、図１Ａの照明制御デバイス１００の完全展開図である。図１Ｂで示すように、触覚ディスプレイ１０４は、外部作動面１２２と照明スイッチアクチュエータ１０６の間に位置決めされる。作動面１２２は、触覚ディスプレイ１０４及び／若しくはセンサ１２７に対して見通せる経路からの光、又は作動を示す照明パイプ１２６からの光などの他の光を通過させる耐衝撃性ガラス材料で構成され、作動面１２２を通過させることができる。触覚ディスプレイ１０４は、プリント回路ボード１２９に位置決めされた１以上のモジュール又はプロセッサを介して制御されるポリマーによる容量性タッチ層１２４及び発光ダイオードパネル１２５で構成される。触覚ディスプレイ１０４は、作動面１２２の下の照明スイッチアクチュエータ１０６の凹部１３１内に格納される。照明スイッチアクチュエータ１０６は、ハウジングカバー１３３及びハウジングベース１３５を含む熱可塑性ハウジングとして形成され得る。照明スイッチアクチュエータのハウジングカバー１３３はピン１３６を介してハウジングベース１３５に旋回可能に接続され、ハウジングカバー１３３はねじりバネ１３７を介してハウジングベース１３５に対して偏向される。特定の実施形態では、照明スイッチアクチュエータのハウジングカバー１３３は、スライドするように、あるいは平行移動又は回転するように構成され得る。外部作動面１２２は、スイッチアクチュエータのハウジングカバー１３３とともに偏向され、照明スイッチアクチュエータ１０６のカバー構成要素１３３に格納された触覚ディスプレイ１０４と協調して同時に移動する。照明スイッチアクチュエータ１０６は主プリント回路ボード基板１５０上の開回路を閉じるような位置の間で可動であるスイッチピン１２８を含み、ボードはスイッチコントローラ又はプロセッサも格納する。ある実施形態では、照明スイッチアクチュエータ１０６は、主プリント回路ボード基板１５０及び副プリント回路ボード１３８を含む回路ボード積層体を含み得る。照明スイッチアクチュエータ１０６は（例えば、照明スイッチアクチュエータ１０６は壁プレートカバー１０８において開口部１１０に通されるように）ベースモジュール１１２に結合するためにラッチ１３６を含んでもよく、ラッチによって照明スイッチアクチュエータ１０６は嵌合する。ハウジングベース１３５は、ベースモジュール１１２の複数ピンのソケット１１４を係合させるように構成された複数ピンのコネクタ又はプラグ１３４を含む。
【００２４】
照明制御デバイス１００は、壁電気ボックスに設置されるように構成された据付けシャーシ１４２を含む。据付けシャーシ１４２は、他のモジュール（例えば、ベースモジュール１１２及びスイッチモジュール１０２）の設置のための平坦面をもたらす。ベースモジュールが据付けシャーシ１４２を介して壁電気ボックスに接続されると、壁プレートカバー１０８は据付けシャーシ１４２に結合可能であり、照明スイッチアクチュエータ１０６はスイッチモジュールの開口部１１０を通じて挿入可能である。特定の実施形態では、壁プレートカバーは、磁石を介して据付けシャーシ１４２及び／又はベースモジュールのタブ１１６に結合され得る。磁石は、壁プレートカバー１０８の一部の開口部内で凹状であってもよい。上述したように、ベースモジュール１１２は、接続タブ１１６を介して据付けシャーシ１４２に結合されるように構成される。ベースモジュール１１２は、さらに、電源（例えば、電気ブレーカボックスから壁電気ボックスへの電線）及び電気ボックスに配線された１以上の照明設備に電気的に結合されるように構成される。したがって、ベースモジュール１１２は、電源、照明スイッチアクチュエータ１０６及び１以上の照明設備の間のインターフェースを提供する。ベースモジュールは、照明スイッチアクチュエータ１０６又は触覚ディスプレイ１０４を介して特定される照明設定の選択に従って電源によって供給されて１以上の照明設備に配電される電力を管理するために、プロセッサ１４０及び回路ボード１４１を含む。
【００２５】
プリント回路ボード１５０又は１３８上のプロセッサ及びベースモジュールのプロセッサ１４０のうちの１以上は、携帯電話、タブレット、ラップトップ、他の携帯コンピューティングデバイス、他の１以上の照明制御デバイス１００又は適所で動作する他の電子デバイスなどの１以上の遠隔電子デバイスとの通信のための無線リンクを含み得る。ある実施例において、無線リンクによって、それに限定されることなく小型電球、サーモスタット、ガレージドアオープナ、ドアロック、遠隔制御、テレビ、セキュリティシステム、セキュリティカメラ、煙探知器、ビデオゲームコンソール、ロボットシステム、又は他の通信可能な検知及び／若しくは作動デバイス若しくは機器を含む１以上のデバイスとの通信が可能となる。無線リンクは、ＢＬＵＥＴＯＯＴＨ（登録商標）クラス、Ｗｉ−Ｆｉ、ＢＬＥ（ＢＬＥ及びＢＴクラシックはブランディングを単に共有する完全に異なるプロトコルである）としても知られるＢｌｕｅｔｏｏｔｈ−ｌｏｗ−ｅｎｅｒｇｙ（登録商標）、８０２．１５．４、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ（登録商標））、赤外チャネル又は衛星帯を含み得る。無線リンクはまた、それに限定されることなく、１Ｇ、２Ｇ、３Ｇ又は４Ｇに該当する規格を含む携帯デバイスの間の通信に用いられる任意のセルラネットワーク規格も含み得る。ネットワーク規格は、国際電気通信連合によって維持された仕様などの仕様又は規格を満たすことによって移動通信規格の１以上の世代に該当し得る。３Ｇ規格は、例えば、Ｉｎｔｅｒｎａｔｉｏｎａｌ  Ｍｏｂｉｌｅ  Ｔｅｌｅｃｏｍｍｕｎｉｃａｔｉｏｎｓ−２０００（ＩＭＴ−２０００）仕様に対応し得るものであり、４Ｇ規格はＩｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ（ＩＭＴ−Ａｄｖａｎｃｅｄ）仕様に対応し得る。セルラネットワーク規格の例は、ＡＭＰＳ、ＧＳＭ、ＧＰＲＳ、ＵＭＴＳ、ＬＴＥ、ＬＴＥ  Ａｄｖａｎｃｅｄ、Ｍｏｂｉｌｅ  ＷｉＭＡＸ及びＷｉＭＡＸ−Ａｄｖａｎｃｅｄを含む。セルラネットワーク規格は、種々のチャネルアクセス方法、例えば、ＦＤＭＡ、ＴＤＭＡ、ＣＤＭＡ又はＳＤＭＡを用いてもよい。ある実施形態では、異なるタイプのデータは、異なるリンク及び規格を介して送信され得る。他の実施形態では、同じタイプのデータが、異なるリンク及び規格を介して送信されてもよい。
【００２６】
図２Ａは、壁２００に据え付けられた図１Ａの照明制御デバイス１００を示す。図２Ａにおいて示すように、ベースモジュール１１２は、壁プレートカバー１０８を考慮すると照明制御デバイス１００を設置すると見えなくなる。壁プレートカバー１０８がベースモジュール１１２に合着するので、壁プレートカバー１０８は壁２００に浮いているように見える。照明制御デバイス１００は、ユーザ１０３が外部作動面１２２及び触覚ディスプレイ１０４とインタラクトすることによって作動され得る。
【００２７】
図２Ｂ及び２Ｃは、複数の照明制御デバイスの複数スイッチ構成を示す。図２Ｂ及び２Ｃは２つのスイッチ及び３つのスイッチの実施形態をそれぞれ示し、照明制御デバイス２０２及び２０３は各々、照明スイッチアクチュエータ１０６と、さらに補助スイッチ２０４及び２０８と、２つ及び３つのベースモジュール１１２とをそれぞれに含む。
【００２８】
図３Ａ〜３Ｆは、種々の照明設定を通じて変位する照明制御デバイス及び照明制御デバイスによって制御される照明設備を有する部屋を示す。
【００２９】
図３Ａにおいて、照明制御デバイス３００は、壁プレート３０８の後方に位置決めされたベースモジュールに接続される。照明制御デバイス３００は、図１Ａ〜２Ｃに関連して説明した照明スイッチアクチュエータと同様に動作可能なダイナミック照明スイッチアクチュエータ３０６及び補助照明スイッチアクチュエータを含む。図３Ａで示すように、照明スイッチアクチュエータ３０６の暗い外部作動面３２２は非アクティブであり、給電されていない。ユーザ１０３が照明スイッチアクチュエータ３０６の作動面３２２を移動させることに応じて、図３Ｂに示すように、照明スイッチアクチュエータ３０６は給電され始める。照明スイッチアクチュエータ３０６の給電又は作動は、パワーライトインジケータ３０５及び完全照明設定アイコン３５１によって信号表示される。アイコン３５１が全光点灯した図３Ｃで示すように（図３Ｂのように部分的点灯でない）、照明スイッチアクチュエータ３０６は完全に給電される。この特定の構成において、主照明３０９及び３１０は全光点灯される。図３Ｄは、照明設定の間の変位を示す。図３Ｄで示すように、この変位は、ユーザ１０３が触覚ディスプレイ３０４にわたって作動面３２２に沿ったスワイプジェスチャ３１２を完了することを通じて促進される。ユーザがジェスチャ３１２を完了すると、アイコン３５１は、触覚ディスプレイが図３Ｅに示す新たな照明設定にトグルするように触覚ディスプレイ３０４からスワイプされる。図３Ｅに示す新たな照明設定は、ディナーのアイコン３５２によって表示又は特定される。図３に示す新たな照明設定は、照明設備３０９の電源を落とし、ランプ３１６及び燭台３１８が部屋の照明シーンを変えるように照明されるようになっている。照明設定の変化は、選択された照明設定に基づいてある照明設備への電力の配分の変化をもたらす。照明スイッチアクチュエータ３０６には、複数の照明設定が事前にプログラムされてもよく、ユーザ１０３によって指定されるように特定の照明設定が構成されてもよい。図３Ｆに示すさらなるスワイプジェスチャ３１５又は異なるジェスチャは、アイコン３５２によって示される図３Ｆの照明設定からさらなる照明設定に変位するのに用いられる。
【００３０】
図４は、照明制御デバイスを制御するためのシステムの動作についてのフロー図を提供する。図４は、本発明の種々の実施形態により、照明制御デバイス１００又は３００を制御するように構成されたプロセッサ１３０などの制御システムの制御動作を示す。４０１では、照明スイッチアクチュエータに格納された触覚ディスプレイは、照明スイッチアクチュエータを移動することによって、例えば、照明スイッチアクチュエータの作動面を移動することによって作動される。４０２では、照明スイッチアクチュエータの移動がコンタクト構成要素を新たな位置に移動させ、それによって電源と照明設備の間の電流経路が閉じられるのを許可又は可能とするように、ベースモジュールを介して照明スイッチアクチュエータに電気的に結合された照明設備に電力が供給される。照明スイッチアクチュエータに格納された触覚ディスプレイは、作動面と同時に移動される。４０３では、照明設定の選択リクエストが、触覚ディスプレイを介して、例えば、触覚ディスプレイにおける１つ又は複数の特定の動きによって受信される。照明設定の選択リクエストは、複数の照明設定の中からある照明設定を特定する。ユーザは、複数回スワイプして複数の照明設定を通じてトグルしてもよいし、それに限定されることなく、すべての接続された照明設備の光強度をそれらのピーク出力の半分に達するように半分のスワイプ及びタップを含む特定の照明設定に対応する具体的な動きを行ってもよい。照明設定は、照明スイッチモジュールに接続された１以上の照明設備に対して個別の配電手法を特定する。４０４では、配電手法が特定される。４０５では、特定された配電手法は、例えば、照明スイッチアクチュエータからの制御信号に応じてベースモジュールによって送信されて、選択された照明設定に対応する配電手法に基づき照明の１つ、一部又は全部を調節する。配電手法又はプロファイルは、照明制御デバイスのメモリデバイスに記憶され得る。ある実施形態では、配電手法は自然光からの環境照明又は接続されていないソースなどの他のパラメータを説明するように調節され得る。ある実施形態では、配電手法は他の１以上のセンサパラメータに基づいて調節され得る。特定の実施形態では、照明設定は、時刻と、光、温度、ノイズ、又はそれに限定されることなくここで説明する任意の電子デバイスを含む他のデバイスの作動などの検知されるパラメータとに基づく自動化によって調節され得る。
【００３１】
図５は、照明制御デバイスを遠隔動作させるためのシステムのフロー図を示す。特定の実施形態では、照明制御デバイス１００又は３００は、アクチュエータスイッチが作動又は給電する場合に遠隔デバイスにより動作可能となり得る。そのような例では、遠隔デバイスは、デバイス上で動作して照明制御デバイスと通信し及びそれを制御するシステム５００などの１以上のコンピュータプログラムアプリケーションを含み得る。したがって、５０１では、制御システム５００は、接続モジュールを始動させて携帯電子デバイスと照明スイッチモジュールの間の通信インターフェースを生成する。接続モジュールは、遠隔デバイスに通信プロトコルを介して１以上の無線伝送を照明制御デバイスに送信させ得る。５０２では、制御システム５００によって、遠隔デバイスは照明設定の選択を容易にするように携帯電子デバイスの表示デバイス上にアイコンの表示を生成可能となる。５０３では、制御システム５００は、ユーザが特定のアイコンを選択することに基づいて照明設定の選択を受信する。５０４では、送信モジュールによって、選択された照明設定が照明制御デバイスに送信されることになり、それにより照明スイッチモジュール及び／又はベースモジュールによって照明設定に対応する配電手法が照明設備に送信可能となる。照明制御デバイスの触覚ディスプレイは、照明設定の受信に呼応して更新されて、携帯電子デバイスにおいて選択され触覚デバイスにおいて選択された照明設定に対応するアイコンを表示し得る。
【００３２】
図６は、照明制御デバイスの動作を遠隔構成するためのシステムのフロー図を示す。遠隔デバイスは、それに限定されることなく、携帯電話、携帯コンピューティングデバイス、又は照明制御デバイスから遠隔のコンピューティングデバイスを含むデバイスを含み得る。６０１において、携帯電子デバイスは、照明スイッチモジュールとの通信インターフェースを生成する。６０２において、照明設備特定モジュールは、センサによるプロトコルを始動して照明スイッチ制御モジュールに接続された１以上の照明設備に対応付けられたパラメータを特定する。６０３において、表示選択モジュールによって携帯電子デバイスの表示デバイス上にアイコンの表示が出現する。６０４において、照明設定構成モジュールによって、ユーザは、特定されたパラメータ及び光強度に関するユーザの指定した入力に基づいて特定された照明設備に対して配電手法又はプロファイルを作成可能となる。６０４において、記憶モジュールは、配電手法を記憶し特定の照明設定アイコンを配電手法に対応付けるのに用いられる。６０５において、送信モジュールは、配電手法及び対応付けられたアイコンを照明スイッチ制御モジュールに送信する。
【００３３】
図７は、エアギャップシステムを含む照明制御システムを設置する方法のフロー図である。７０１において、スイッチモジュール１０２などの照明制御モジュールは、ベースモジュール１１２などのベースモジュールのウェル内にネスティングされる。図９でさらに詳細に示すように、照明制御モジュールをベースモジュールのウェルに挿入することで、７０２において、スプリングで付勢される押下可能なスイッチが第１の位置から第２の位置へ押下される。スプリングで付勢される押下可能なスイッチは押下されて電気コンタクトに接続され、それによってその間の電気の流れが可能となる。スイッチコンタクトの一方は、ＡＣ電源に接続される。スイッチコンタクトの他方は、電力を必要とする電子構成要素に（直接的又は間接的に）接続される。したがって、スプリングで付勢される押下可能なスイッチを押下することにより、７０３において、ＡＣ電源は電力回路に接続される。７０４において、ＡＣ電源の接続によって、ＡＣ電力がベースモジュールに供給される。７０５において、ベースモジュールにおけるＡＣ電力は、一般的には変換後に、ＤＣ電力として照明制御モジュールに送信される。
【００３４】
図８は、ここで説明する照明制御動作を実行するように構成された照明制御システム８００の概略図である。照明制御システム８００は、ここで説明するように、エアギャップシステムを含む照明制御システムで実現可能な照明制御システムの構成要素を示す。照明制御システム８００は、（ベースモジュール１１２と同様に構成され得る）ベース照明制御モジュール８１２及び（スイッチモジュール１０２と同様に構成され得る）スイッチモジュール又はスイッチコントローラ８０２に分けて示される。ここで説明するように、スイッチモジュール８０２は、グラフィカルユーザインターフェースモジュール８５２を介して動作可能な触覚インターフェース、並びにここで説明した触覚ディスプレイ１０４及び照明スイッチアクチュエータ１０６などのスイッチアクチュエータを含み得る。スイッチモジュール８０２はプロセッサ８５０を格納し、それはコマンドをマイクロコントローラ８４０に送信しマイクロコントローラ８４０からの入力を受信して、変圧器８１８と、電力アイソレータ及びＡＣ／ＤＣ変換器８１４（フライバック変換器を含み得る）と、ＴＲＩＡＣ調光器８１３などの調光器と、電圧電流センサ８１６との動作を制御するように構成され得る。ある実施形態では、ベース照明制御モジュール８１２は、ＭＯＳＦＥＴ調光器を含み得る。電力アイソレータ８１４は、ベース照明制御モジュール８１２及びスイッチモジュール８０２においてアナログＡＣ電流をローパワー又はＤＣデジタルの構成要素から分離する。電力アイソレータ８１４は、電力モジュール８５３を介して電力入力をスイッチ制御モジュール８０２に供給し得る。電力モジュール８５３は、スイッチコントローラモジュール８０２における１以上のモジュールに電力を指向することを含む、ベースモジュール８１２からスイッチコントローラモジュール８０２への電力フロー（電力の流れ）を調整するように構成された電力回路を含む。スイッチモジュール８０２はまた通信モジュールも格納し、それは１以上のアンテナ又は他の無線通信モジュールを含み得る。スイッチモジュール８０２はまたセンサモジュールも格納し、それは光センサ、カメラ、マイク、温度計、湿度センサ及び大気質センサなどの１以上のセンサを含み得る。プロセッサ８５０は、スイッチモジュール８０２における１以上のモジュールと通信可能に結合されて、例えば、ベース照明制御モジュール８１２に接続された照明設備８２４の照明回路への電気エネルギーの流れの変調を制御するように、それらモジュールの動作を制御するとともにそれらからの入力を受信する。
【００３５】
ベース照明制御モジュール８１２は、モジュール８１２における種々の電気構成要素の容器をアースするためのアース端子８３０を含む。ベース照明制御モジュール８１２は、中性ワイヤ、ライン端子８２６及び負荷端子８２２に接続するために中性端子８２８を含む。図８に示すように、電圧電流センサは、負荷ラインに結合されて、照明回路に接続された１以上の照明設備８２４に電力を搬送するラインに沿った電圧又は電流の変化を検出する（７５０）。ベース照明制御モジュール８１２はまた、プロセッサ８５０に通信可能に結合されたコントローラ８４０も含む。ベース照明制御モジュール８１２はまた、ベース照明制御モジュール８１２の状態に関する情報を示すためにＬＥＤインジケータ照明８４２及び８４１も含む。例えば、ある実施形態では、ＬＥＤインジケータ照明８４１は、中性ワイヤが接続されているかを示すことができ、一方のＬＥＤインジケータ照明８４２は３方向接続で接続されているかを示すことができる。
【００３６】
図９Ａ及び図９Ｂは、エアギャップシステムを含む照明制御システムの概略図である。照明制御システム９００は図７に従って動作し、システム構成要素は、図１Ａ〜６及び図８に示すシステム及び構成要素に従って示され動作する構成要素を含み得る。照明制御システム９００は、ベースモジュール９１２のウェル９１６において除去可能にネスティングされたスイッチ制御モジュール９０２を含む。フェイスプレート９０８はまた、ベースモジュール９１２にも結合される。図９Ｂはネスティングされたスイッチ制御モジュール９０２を示し、一方の図９Ａは除去又はネスティング解除されているスイッチ制御モジュール９０２を示す。スイッチ制御モジュール９０２は、ネスティングして位置決めされる際に、ベースモジュール９１２においてプランジャスイッチ９５１を押し戻す。プランジャスイッチ９５１は、スイッチ制御モジュール９０２の移動に応じて解放される圧縮スプリングを介して外向きに付勢され得る。プランジャスイッチ９５１が押下された場合には、プランジャスイッチ９５１は、スイッチ９５２を閉成し（これはスプリングで付勢されて開成もされる）、それによってライン９２６からの回路を閉成し、ＡＣ電力をベースモジュール９１２からシステム９４０に供給する。システム９４０は、図８に示すものなどの、電力回路、マイクロコントローラ及び他の任意の電力構成要素を含み得る。システム９４０は、照明設備の照明回路を含み得る負荷ライン９２２に電気的に接続される。システム９４０はまた、（例えば、マッティング電気コネクタを介して）ネスティングされた場合に、スイッチ制御モジュール９０２に給電する電気コネクタ９１４にも電気的に結合される。したがって、スイッチ制御モジュール９０２がそのネスティングされた位置から除去又はネスティング解除される場合には、電気コネクタ９１４はスイッチ制御モジュール９０２から切り離され、電気コネクタ９１４は、スイッチ９５２がそのスプリングの付勢の下で開成するので給電されなくなり、負荷が切り離される。
【００３７】
図１０Ａ〜１０Ｃは、照明制御システムのベースモジュールにおけるエアギャップ構成要素を示す。図１０Ａ〜１０Ｃに示す照明制御システム１０００は照明制御システム９００と同様に動作するが、システム１０００は、レバード構成においてリーフスプリング１００１に位置決めされた異なる押下可能なスイッチ１０５１を含む。押下可能なスイッチ１０５１は、スプリングで付勢されて開成される。したがって、スイッチ１０５１がＡＣライン１０２６に接続される電気コンタクト１００３にコンタクトするように、応力はスプリング１００１を引き延ばすようにそれに付加される必要がある。スイッチ１０５１は、ベースモジュール９１２のウェルに位置決めされ、スイッチモジュールの挿入によって押し込まれて閉成可能である。
【００３８】
この明細書で説明する主題及び動作の実施例は、デジタル電子回路構成によって、又はこの明細書に開示される構造体及びそれらの構造均等物を含むコンピュータソフトウェア、ファームウェア若しくはハードウェアを介して、又はそれらの１以上の組合せにおいて実施可能である。この明細書で説明する主題の実施例は、データ処理装置による又はその動作を制御する実行のためにコンピュータ記憶媒体上で符号化された１以上のコンピュータプログラム、すなわち、コンピュータプログラム命令の１以上のモジュールとして実施可能である。
【００３９】
コンピュータ記憶媒体は、コンピュータ可読記憶デバイス、コンピュータ可読記憶基板、ランダム若しくはシリアルアクセスメモリアレイ若しくはデバイス、又はそれらの１以上の組合せであり、又はそれらに含まれ得る。さらに、コンピュータ記憶媒体は、伝搬信号ではないが、コンピュータ記憶媒体は人工的に発生した伝搬信号において符号化されたコンピュータプログラム命令の送信元又は送信先であってもよい。コンピュータ記憶媒体はまた、１以上の分離した物理的構成要素又は媒体（例えば、複数のＣＤ、ディスク又は他の記憶デバイス）であり又はそれらに含まれていてもよい。
【００４０】
この明細書で説明する動作は、１以上のコンピュータ可読記憶デバイスに記憶され又は他の送信元から受信されたデータに対してデータ処理装置によって実行される動作として実施可能である。
【００４１】
用語「データ処理装置」は、例として、前述のプログラム可能プロセッサ、コンピュータ、システムオンチップ、又は複数のそれら若しくは組合せを含むデータを処理するための装置、デバイス及び機械のすべての種類を含む。装置は、特殊用途の論理回路構成、例えば、ＦＰＧＡ（フィールドプログラマブルゲートアレイ）又はＡＳＩＣ（特定用途向け集積回路）を含み得る。装置はまた、ハードウェアに加えて、当該のコンピュータプログラムに対して実行環境を作成するコード、例えば、プロセッサのファームウェア、プロトコルスタック、データベース管理システム、オペレーティングシステム、クロスプラットフォームランタイム環境、仮想マシン又はそれら１以上の組合せを構成するコードを含み得る。装置及び実行環境は、ウェブサービス、分散コンピューティング及びグリッドコンピューティングインフラなどの異なる種々のコンピューティングモデルインフラを実現することができる。
【００４２】
コンピュータプログラム（プログラム、ソフトウェア、ソフトウェアアプリケーション、スクリプト又はコードとしても知られる）は、コンパイル済み又はインタープリタ型言語と、宣言型又は手続き型言語とを含むプログラミング言語の任意の形式で書き込まれることができ、スタンドアロンプログラムとして、又はコンピューティング環境での使用に適したモジュール、構成要素、サブルーチン、オブジェクト若しくは他のユニットとして含む任意の形式で展開可能である。コンピュータプログラムは、必ずしも必要ではないがファイルシステムにおけるファイルに対応し得る。プログラムは、他のプログラム若しくはデータ（例えば、マークアップ言語の文書に記憶された１以上のスクリプト）を保持するファイルの一部に、当該のプログラムに専用の単一のファイルに、又は複数の協調ファイル（例えば、１以上のモジュール、サブプログラム又はコード部分を記憶するファイル）に記憶可能である。コンピュータプログラムは、１つのサイトにあり又は複数のサイトにわたって分散され、通信ネットワークによって相互接続された、１つのコンピュータ上で又は複数のコンピュータ上で実行されるように展開可能である。
【００４３】
この明細書に説明する処理及び論理フローは、入力データ上で動作し出力を発生することによってアクションを実行するように１以上のコンピュータプログラムを実行する１以上のプログラム可能プロセッサによって実行可能である。処理及び論理フローはまた、特殊用途向け論理回路構成、例えば、ＦＰＧＡ（フィールドプログラマブルゲートアレイ）又はＡＳＩＣ（特定用途向け集積回路）によっても実行可能であり、それらとしても装置が実施可能である。
【００４４】
コンピュータプログラムの実行に適したプロセッサは、例として、汎用及び特殊用途向け双方のマイクロプロセッサ、並びに任意の種類のデジタルコンピュータの１以上のプロセッサを含む。一般的に、プロセッサは読取り専用メモリ若しくはランダムアクセスメモリ又は双方から命令及びデータを受信する。コンピュータの本質的要素は、命令に応じてアクションを実行するためのプロセッサ、並びに命令及びデータを記憶するための１以上のメモリデバイスである。一般的に、コンピュータはまた、データを記憶するための１以上の大容量記憶デバイス、例えば、磁気ディスク、光磁気ディスク又は光学ディスクも含み、又はそれらからデータを受信若しくはそれらにデータを送信又はその双方を行うように動作可能に結合されることになる。ただし、コンピュータはそのようなデバイスを必ずしも有する必要はない。さらに、コンピュータは、他のデバイス、例えば、ごくわずかを挙げると、携帯電話、パーソナルデジタルアシスタント（ＰＤＡ）、携帯オーディオビデオプレーヤ、ゲームコンソール、全地球測位システム（ＧＰＳ）受信機又は可搬記憶デバイス（例えば、ユニバーサルシリアルバス（ＵＳＢ）フラッシュドライブ）に埋め込まれてもよい。コンピュータプログラム命令及びデータを記憶するのに適したデバイスは、例として、半導体メモリデバイス、例えば、ＥＰＲＯＭ、ＥＥＰＲＯＭ及びフラッシュメモリデバイスを含む不揮発性メモリ、媒体及びメモリデバイス、磁気ディスク、例えば、内部ハードディスク又は着脱可能なディスク、光磁気ディスク、並びにＣＤ−ＲＯＭ及びＤＶＤ−ＲＯＭディスクのすべての形式を含む。プロセッサ及びメモリは、特殊用途向け論理回路構成によって補完され又はそれに組み込まれてもよい。
【００４５】
ユーザとのインタラクトを提供するように、この明細書に説明する主題の実施例は、ユーザに情報を表示するための表示デバイス、例えば、ＣＲＴ（ブラウン管）又はＬＣＤ（液晶ディスプレイ）モニタ、並びにユーザがコンピュータに入力を与えることができるキーボード及びポインティングデバイス、例えば、マウス又はトラックボールを有するコンピュータ上で実施可能である。同様にユーザとのインタラクトを提供するのに他の種類のデバイスが用いられてもよく、例えば、ユーザに提供されるフィードバックは任意の形式の感覚フィードバック、例えば、視覚フィードバック、聴覚フィードバック又は触覚フィードバックであってもよく、ユーザからの入力は音響、音声又は触覚入力を含む任意の形式で受信され得る。さらに、コンピュータは、ユーザによって用いられるデバイスに文書を送信及びそれから文書を受信することによって、例えば、ウェブブラウザから受信されるリクエストに応じてユーザのユーザデバイス上でウェブブラウザにウェブページを送信することによってユーザとインタラクトすることができる。
【００４６】
この明細書に説明する主題の実施例は、バックエンド構成要素を、例えば、データサーバとして含み、ミドルウェア構成要素、例えば、アプリケーションサーバを含み、又はフロントエンド構成要素、例えば、ユーザがこの明細書に説明する主題の実施例とインタラクトすることができるグラフィカルディスプレイ若しくはウェブブラウザを有するユーザコンピュータを含むコンピューティングシステムにおいて、又は１以上のそのようなバックエンド、ミドルウェア若しくはフロントエンド構成要素の任意の組合せにおいて実施可能である。システムの構成要素は、デジタルデータ通信の任意の形式又は媒体、例えば、通信ネットワークによって相互接続され得る。通信ネットワークの例は、ローカルエリアネットワーク（「ＬＡＮ」）及びワイドエリアネットワーク（「ＷＡＮ」）、インターネットワーク（例えば、インターネット）、並びにピアツーピアネットワーク（例えば、アドホックピアツーピアネットワーク）を含む。
【００４７】
コンピューティングシステムは、ユーザ及びサーバを含み得る。ユーザ及びサーバは、一般的に、相互に遠隔にあり、通常は、通信ネットワークを通じて作用する。ユーザ及びサーバの関係は、それぞれのコンピュータ上で稼働してユーザ−サーバ関係を相互に有するコンピュータプログラムによって生じる。ある実施例において、サーバはデータ（例えば、ＨＴＭＬページ）をユーザデバイスに送信する（例えば、ユーザデバイスとインタラクトするユーザに対するデータの表示及びユーザからのユーザ入力の受信を目的として）。ユーザデバイスで発生したデータ（例えば、ユーザインタラクトの結果）は、サーバにおいてユーザデバイスから受信され得る。
【００４８】
この明細書は多数の具体的な実施例の詳細事項を含むが、これらはいずれの発明の又は特許請求され得るものの範囲において限定的な意味でとらえられるべきではなく、特定の発明の特定の実施例に特有の構成を図示するに過ぎない。個別の実施例の背景において、この明細書に説明するある構成はまた、単一の実施例において組合せても実施可能である。逆に、単一の実施例の背景において説明する種々の構成はまた、複数の実施例において個別に又は任意の適切な部分的組合せにおいて実施可能である。さらに、上記では構成がある組合せで作用するものとして説明したが、特許請求された組合せによる１以上の構成のように当初特許請求されたとしても、ある場合には組合せから削除可能であり、特許請求された組合せは部分的組合せ又は部分的組合せの変形例を対象としてもよい。
【００４９】
この開示の目的に対して、用語「結合される」は２つの部材の相互の直接的又は間接的な接合を意味する。そのような接合は、本来静止状態であってもよいし可動であってもよい。そのような接合は、相互に１つの単一体として一体形成されている２つの部材若しくは２つの部材と任意の追加的中間部材とで、又は相互に付着している２つの部材若しくは２つの部材と任意の追加的中間部材とで実現され得る。そのような接合は、性質上恒久的であってもよいし、性質上着脱可能又は取外し可能であってもよい。
【００５０】
なお、種々の要素の配向は他の例示的な実施例に従って異なっていてもよく、そのような変形例は本開示によって含まれることが意図されていることに留意すべきである。開示される実施例の構成は、他の開示される実施例に組み込まれ得ることが認められる。
【００５１】
発明の種々の実施例がここで説明及び図示されたが、当業者は機能を実行し並びに／又はここで説明する結果及び／若しくは効果の１以上を取得するための他の種々の手段及び／又は構造体を容易に想到し、そのような変形例及び／又は変更例の各々がここで説明する発明の実施例の範囲内にあるとみなされる。より一般的には、当業者は、ここで説明するすべてのパラメータ、寸法、材料及び構成が例示的なものを意味し、実際のパラメータ、寸法、材料及び／又は構成が発明の教示を用いるための１つ又は複数の特定用途に依存すると容易に分かることになる。当業者は、ここで説明する具体的な発明の実施例に対する多くの均等物を単なる慣習的な実験を用いて認識し又は解明することができる。したがって、前述の実施例は例示に過ぎず、発明の実施例は、添付の特許請求項及びそれに対する均等物の範囲内において、具体的にそれ以外のものとして説明及び特許請求されない限り、実施可能であることが理解される。本開示の発明の実施例は、ここで説明する各個々の構成、システム、物品、材料、キット及び／又は方法を対象とする。さらに、そのような２以上の構成、システム、物品、材料、キット及び／又は方法の任意の組合せは、そのような構成、システム、物品、材料、キット及び／又は方法が相互に矛盾していない場合には、本開示の発明の範囲内に含まれる。
【００５２】
また、ここで説明する技術は方法として具現化されてもよく、その少なくとも１つの例が提供された。方法の一部としての実行される作用は、任意の適切な方法で順序付けられてもよい。したがって、実施例は図示するものとは異なる順序で作用が実施されてもよく、それは図示する実施例において連続する作用として示されていても、いくつかの作用を同時に実行することも含み得ると構築され得る。
【００５３】
特許請求の範囲は、その趣旨で記述されていなければ、説明する順序又は要素に限定されるものとして読み取られるべきではない。形式及び詳細事項の種々の変更は、添付の特許請求の趣旨及び範囲から逸脱することなく当業者によってなされ得ると理解すべきである。以下の特許請求の範囲及びそれに対する均等物の趣旨及び範囲内のすべての実施例の優先権が主張される。
【符号の説明】
【００５４】
８０２  スイッチコントローラ
８１０  多方向検出
８１２  照明制御モジュール
８１３  トライアック（調光器）
８１４  電力アイソレータ及びＤＣ変換器
８１６  電圧電流センサ
８１８  変圧器（電源）
８２０  多方向
８２２  負荷
８２６  ライン
８２８  ニュートラル
８３０  アース
８４０  マイクロコントローラ
８４１  インジケータＬＥＤ（１）
８４２  インジケータＬＥＤ（２）
８５０  プロセッサ
８５１  通信モジュール
８５２  ＧＵＩモジュール
８５３  電力モジュール
８５４  センサモジュール
【図１Ａ】
2019527915.tif 000003
【図１Ｂ】
2019527915.tif 000004
【図２−１】
2019527915.tif 000005
【図２−２】
2019527915.tif 000006
【図３Ａ】
2019527915.tif 000007
【図３Ｂ】
2019527915.tif 000008
【図３Ｃ】
2019527915.tif 000009
【図３Ｄ】
2019527915.tif 000010
【図３Ｅ】
2019527915.tif 000011
【図３Ｆ】
2019527915.tif 000012
【図４】
2019527915.tif 000013
【図５】
2019527915.tif 000014
【図６】
2019527915.tif 000015
【図７】
2019527915.tif 000016
【図８】
2019527915.tif 000017
【図９】
2019527915.tif 000018
【図１０】
2019527915.tif 000019
【国際調査報告】
2019527915.tif 000020